(57)【要約】      （修正有）【課題】着物を着慣れない人達や着物に興味を持ち始めた人達が着物を着る際に、綺麗なお太鼓結びを一人でも簡単に作ることができ、着物を着ることを人生の楽しみの１つとすることを可能とする着物の帯のお太鼓作り用仮ひもを提供する。【解決手段】着物の帯のお太鼓作り用仮ひも１であって、仮ひもの延在方向において所定の長さだけプラスチック板２０を備え、プラスチック板の長さは着物の帯の幅よりも長くなっており、お太鼓作りに当たって、仮ひもを帯の幅方向にあてる際に、仮ひもの両端における帯の両端よりも突出した部分が、それぞれ指によるお太鼓を作るためのつかみ部２１，２２となっている。【選択図】図１
0003209057.tif 000002
【実用新案登録請求の範囲】
【請求項１】
着物の帯のお太鼓作りに用いる着物の帯のお太鼓作り用仮ひもであって、
前記着物の帯のお太鼓作り用仮ひもの延在方向において所定の長さだけプラスチック板を備え、
前記プラスチック板の長さは前記着物の帯の幅よりも長くなっており、前記着物の帯のお太鼓作りに当たって、前記着物の帯のお太鼓作り用仮ひもを帯の幅方向にあてる際に、当該着物の帯のお太鼓作り用仮ひもの両端における前記帯の両端よりも突出した部分が、それぞれ指による前記着物の帯のお太鼓を作るためのつかみ部となっていることを特徴とする着物の帯のお太鼓作り用仮ひも。
【請求項２】
前記帯の幅が３０ｃｍの場合に、前記プラスチック板は長さ３６ｃｍとなっていることを特徴とする請求項１に記載の着物の帯のお太鼓作り用仮ひも。
【請求項３】
前記プラスチック板はアクリル板でできていることを特徴とする請求項１または請求項２に記載の着物の帯のお太鼓作り用仮ひも。
【考案の詳細な説明】
【技術分野】
【０００１】
本考案は、着物の帯のお太鼓結びを作る際に用いる着物の帯のお太鼓作り用仮ひもに関する。
【背景技術】
【０００２】
和服である着物を着るにあたって、女帯の代表的な結び方であるお太鼓結びを手際よくきれいに作ることは大切である。しかしながら、お太鼓結びは特別な形状を有しており、かつ和服の背中側に位置するものであるため、慣れない人にとっては帯のお太鼓作りを一人できれいに行うことが非常に難しくかつかなりの苦労を必要とする。
【０００３】
そのため、一人で帯結びができるようになるまで着付け教室に何度も通うか、そのような時間がない場合は着物を着るたびごとに帯結びを着付け師に手伝ってもらわなければならない。なお、このような帯作りの際に使用する補助具として以下のようなものが知られている。
【先行技術文献】
【特許文献】
【０００４】
【特許文献１】実開平６−８３７３０号公報
【特許文献２】特開２００４−２６３３５１号公報
【特許文献３】特開２０１２−１８８７６４号公報
【考案の概要】
【考案が解決しようとする課題】
【０００５】
上述したような補助具は構造が複雑でそれに伴い価格も高いものとなる。従って、着物を初めて着る人やたまにしか着ない人にとっては、そのような補助具を購入することは費用が掛かり、かつ使用頻度が低くなるので、わざわざ購入するには適さない。
【０００６】
しかしながら、上述したように、そのような人達が一人で帯結びをできるまで着付け教室に何度も通うのは時間的かつ金銭的な制約がかなり伴う。一方、そのような人達が着物を着る際にお太鼓結びを綺麗に作るために着付け師に毎回頼んでいたのでは、着付けの予約を取らなければならず煩雑であり、かつ着付け代も支払わなければならないので、着物を着る毎に余計な出費が嵩む。
【０００７】
以上のような理由から、特に若い女性や着物に興味を持った人達にとって綺麗なお太鼓結びの着物を一人で手軽に着ることができるようになるという願望を実現することはなかなか難しく、せっかく着物に対する興味が湧いたにも関わらず、その興味が急速に薄れて着物離れが生じてしまう。
【０００８】
また、近年のグローバル化に伴い、日本の着物の美しさが世界各国の女性達に知れ渡り、世界中の多くの女性達を魅了するようになっている。しかし、実際に着物を着る際に綺麗なお太鼓結びを一人で作るためには、上述したそれなりの知識や技能を必要とする。
【０００９】
このような理由から、上述のような人達が着物を頻繁に着てみることにかなり興味や情熱を持っていても、結局のところ一度着ただけでその後着ることが無くなってしまう場合が多いと考えられる。そのため、せっかくの素晴らしい日本文化を世界により広めることができなくなってしまい、非常に残念な現状となっている。
【００１０】
本考案の目的は、着物を着慣れない人達や着物に興味を持ち始めた人達が着物を着る際に、綺麗なお太鼓結びを一人でも簡単に作ることができ、着物を着ることを人生の楽しみの１つとすることを可能とする着物の帯のお太鼓作り用仮ひもを提供することにある。
【課題を解決するための手段】
【００１１】
上記目的を達成するために本考案の請求項１に係る着物の帯のお太鼓作り用仮ひもは、
着物の帯のお太鼓作りに用いる着物の帯のお太鼓作り用仮ひもであって、
前記着物の帯のお太鼓作り用仮ひもの延在方向において所定の長さだけプラスチック板を備え、
前記プラスチック板の長さは前記着物の帯の幅よりも長くなっており、前記着物の帯のお太鼓作りに当たって、前記着物の帯のお太鼓作り用仮ひもを帯の幅方向にあてる際に、当該着物の帯のお太鼓作り用仮ひもの両端における前記帯の両端よりも突出した部分が、それぞれ指による前記着物の帯のお太鼓を作るためのつかみ部となっていることを特徴としている。
【００１２】
また、本考案の請求項２に係る着物の帯のお太鼓作り用仮ひもは、請求項１に記載の着物の帯のお太鼓作り用仮ひもにおいて、
前記帯の幅が３０ｃｍの場合に、前記プラスチック板は長さ３６ｃｍとなっていることを特徴としている。
【００１３】
また、本考案の請求項３に係る着物の帯のお太鼓作り用仮ひもは、請求項１又は請求項２に記載の着物の帯のお太鼓作り用仮ひもにおいて、
前記プラスチック板はアクリル板でできていることを特徴としている。
【考案の効果】
【００１４】
本考案によると、着物を着慣れない人達や着物に興味を持ち始めた人達が着物を着る際に、綺麗なお太鼓結びを一人でも簡単に作ることができ、着物を着ることを人生の楽しみの１つとすることを可能とする着物の帯のお太鼓作り用仮ひもを提供することができる。
【図面の簡単な説明】
【００１５】
【図１】本考案の一実施形態に係る着物の帯のお太鼓作り用仮ひもを長手方向に一部破断して示す斜視図である。
【図２】図１に示した着物の帯のお太鼓作り用仮ひもの表面図（図２（ａ）及び裏面図（図２（ｂ）である。
【図３】本考案に係る着物の帯のお太鼓作り用仮ひもで帯のお太鼓作りをするための手順（１）（手順（１−ａ）から手順（１−ｂ））を説明する図である。
【図４】図３に続いて、着物の帯のお太鼓作り用仮ひもで帯のお太鼓作りをする手順（２）から手順（３）までを説明する図である。
【図５】図４に続いて、着物の帯のお太鼓作り用仮ひもで帯のお太鼓作りをする手順（４）を説明する図である。
【考案を実施するための形態】
【００１６】
以下、本考案の一実施形態に係る着物の帯のお太鼓作り用仮ひも（以下、適宜「着物の帯のお太鼓作り用仮ひも」又は単に「帯作り用仮ひも」とする）について図面に基づいて説明する。
【００１７】
図１は、本考案の一実施形態に係る着物の帯のお太鼓作り用仮ひもを長手方向に一部破断して示す斜視図である。また、図２は、図１に示した着物の帯のお太鼓作り用仮ひもの表面図（図２（ａ）及び裏面図（図２（ｂ）である。
【００１８】
本実施形態に係る着物の帯のお太鼓作り用仮ひも１は、着物の帯のお太鼓作りに用いる着物の帯のお太鼓作り用仮ひもである。
【００１９】
そして、着物の帯のお太鼓作り用仮ひも１の延在方向において所定の長さだけプラスチック板２０を備えている。
【００２０】
また、プラスチック板２０の長さは着物の帯の幅（図２のＷ及び図３の手順（１）参照）よりも長くなっており、着物の帯のお太鼓作りに当たって、着物の帯のお太鼓作り用仮ひも１を帯の幅方向にあてる際に、着物の帯のお太鼓作り用仮ひも１の両端が帯の両端よりも突出した部分が、それぞれ指による着物の帯のお太鼓を作るためのつかみ部２１，２２となっている。
【００２１】
なお、本実施形態に係る着物の帯のお太鼓作り用仮ひもの各構成要素の寸法及び材質については以下の通りとなっている。
【００２２】
着物の帯のお太鼓作り用仮ひも１は、幅３．５ｃｍ、長さ１ｍ５０ｃｍの袋状のひも１０の中央に３ｃｍ、幅長さ３６ｃｍのアクリル板（プラスチック板）２０を入れ、アクリル板の両端をミシンで縫ってアクリル板２０が袋状のひもの中をずれないように使用している。また、袋状のひも１０は、絹やポリエステル等の滑りがよく、かさかさしないものを使用している。なお、図２において横方向の点線１５は、ひも１０を袋状にするためのミシンの縫い目で、縦方向の点線１１，１２は、袋状のひも１０の中でアクリル板２０はずれることなく、所定位置に留まるようにしたひも１０のミシンの縫い目である。
【００２３】
帯の帯幅は、一般的に３０ｃｍなので、アクリル板の長さを３６ｃｍとし、帯幅より両端３ｃｍ（図２におけるｔの長さ部分に相当）だけ長くしてこの部分をそれぞれ指のつかみ部とすることで、着物の帯のお太鼓作り用仮ひも１を持ちやすくかつ帯の布目も通し易くしている。
【００２４】
なお、本実施形態のようにアクリル板２０を用いなくても、上述した課題を解決するのに適したプラスチック板であれば、他の材質のもの使用することも可能である。
【００２５】
以下に、図面に基づいて本考案に係る着物の帯のお太鼓作り用仮ひもで帯のお太鼓作りをするための手順を説明する。図３は、本考案に係る着物の帯のお太鼓作り用仮ひもで帯のお太鼓作りをするための手順（１）（手順（１−ａ）から手順（１−ｂ））を説明する図である。また、図４は、図３に続いて、着物の帯のお太鼓作り用仮ひもで帯のお太鼓作りをする手順（２）から手順（３）までを説明する図である。また、図５は、図４に続いて、着物の帯のお太鼓作り用仮ひもで帯のお太鼓作りをする手順（４）を説明する図である。
【００２６】
最初に手順（１）について説明する。手順（１−ａ）においては、着物１００に帯２００を巻き付けて、帯作りする最初の段階を示しており、この段階において、帯山２１０の内側に着物の帯びのお太鼓作り用仮ひも１（以下、単に「仮ひも１」とする。）を当て、帯２００を折り返した状態を示している。
【００２７】
この状態においては、仮ひも１に備わるアクリル板２０の上側縁部が２００にぴったりと当たっているので、帯２００を折り返した際にこの折り返し部分が真っ直ぐかつしわが寄らない状態で帯山２１０ができる。この際、アクリル板２０のつかみ部２１，２２（図１及び図２参照）が帯山２１０の幅方向左右から突出しているので、このアクリル板２０のつかみ部をしっかりと持ちながら、帯２００を折り返して帯山２１０を綺麗に作ることができる。
【００２８】
続いて手順（１−ｂ）について説明する。手順（１−ｂ）においては、帯２００を肩に掛けて、アクリル板２０が備わった部分が背中に当たっている状態を示している。このような状態にしてから、アクリル板２０を背中にしっかりと当てた状態で、手順（２）に示すように、枕３００をこの部分の上に当てながら枕３００のひもの先端を締め上げ、枕３００を背中に押さえ付ける。
【００２９】
続いて手順（２）について説明する。手順（２）においては、枕３００を背中に押さえ付けた状態を示している。この状態で仮ひも１を引き抜く。枕３００と背中に挟まれている部分は、アクリル板２０となって固くなっているので、このアクリル板２０のつかみ部２１，２２のいずれか一方をしっかりと掴んで引き抜くことで、枕３００と背中の間から仮ひも１を簡単に引き抜くことができる。
【００３０】
続いて手順（３）について説明する。手順（３）においては、手順２で仮ひも１を抜いた後に帯２００を垂らし、裾線２３０の位置を定めるために、再び仮ひも１のアクリル板２０の下側の縁が帯２００の裾線２３０に合致するように、仮ひも１に備わったアクリル板２０の両端のつかみ部２１，２２を掴みながら裾線２３０を綺麗に整えている状態を示している。これによって裾線２３０が綺麗に定まり、裾線２３０の部分にしわが寄らず、なおかつ綺麗に真っ直ぐに整えることができる。
【００３１】
即ち、お太鼓の裾線２３０を決めるのにプラスチック板であるアクリル板２０が入っているので、帯２００をしっかりと持つことができ、片手持ちながら布目が通り帯２００を内側に持って行き易く、裾線２３０を綺麗に形付けることができる。
【００３２】
続いて手順（４）について説明する。手順（４）においては、上述したような手順に基づき、仮ひも１を用いて帯のお太鼓作りを行い、着物への帯結びを完成させた状態を示している。この状態においては、帯締め２４０や帯上げ２５０などが付された状態となっている。このようにして本考案に係る仮ひも１を用いることによって、上述したようにしわの無い綺麗な帯山２１０と裾線２３０を有するお太鼓結びが可能となる。
【００３３】
なお、上述した手順はあくまで着物へのお太鼓結びの一例を示したものであり、他の様々な手順も考えられるが、本考案に係る仮ひも１によると、何れの場合であっても着物へ綺麗なお太鼓結びを行うことができる。
【００３４】
以上の各手順の説明から明らかなように、本考案に係る着物の帯のお太鼓作り用仮ひもを用いることで、着物の帯のお太鼓を一人でも簡単にかつ素早く作ることができる。また、布目が通りしわにならず、お太鼓の大きさ、たれ先、たれの長さを決め易いという利点がある。
【００３５】
以下に本考案に係る着物の帯のお太鼓作り用仮ひもの作用について説明する。本考案に係る着物の帯のお太鼓作り用仮ひもは、帯のお太鼓作りを１人でも楽にきれいにできるのに有用な価格が安く誰でも気軽に手に入れることができる優れた着物着付け用小物となっている。
【００３６】
従来から着物の帯のお太鼓の形にする過程は色々あるが、仮ひもとしての腰ひもは、帯のお太鼓を作る際にそれなりに有用であるので必ず使用していた。しかし、腰ひも全体が柔らかくできているため、お太鼓の形を作り難かったが、本考案に係る着物の帯のお太鼓作り用仮ひもを用いることでこの問題を解決することができる。
【００３７】
より具体的には、従来の腰ひもを用いると、お太鼓の山を作るのに山の位置に当てる時に腰ひもが柔らかいので、この腰ひもをお太鼓の山の位置にもっていき難いが、本考案に係る着物の帯のお太鼓作り用仮ひもによると、この仮ひもの所定位置にプラスチック板であるアクリル板が入っているため帯山の位置に楽にもっていくことができ、かつ帯山の部分がしわにならず綺麗な帯山を作ることができる。
【００３８】
また、従来の腰ひもを用いてお太鼓の形を行うに際して、帯と腰ひもを持つ時に腰ひもが柔らかくお太鼓の裾線が持ち難かったが、本考案に係る着物の帯のお太鼓作り用仮ひもを使うと、この仮ひもの中にプラスチック板であるアクリル板が入っているので、お太鼓の形づけるのに裾線が持ち易く、片手でもお太鼓の裾線の折山をプラスチックが入っているのでしっかりと持てる。
【００３９】
このように、従来の腰ひもは、帯の布目が通しにくいが、本考案に係る帯作り用仮ひもは帯の布目が通しやすいので、一人で自分の背中の位置にお太鼓を作る際に苦労せずに帯の布目に通すことができる。
【００４０】
また、従来の腰ひもは、帯のお太鼓の帯山の位置にもっていきにくいが、本考案に係る帯作り用仮ひもは帯山の位置にもってきやすいという利点がある。
【００４１】
また、従来の腰ひもは、帯のお太鼓の帯山の線を綺麗にする事は難しいが、本考案に係る帯作り用仮ひもは帯のお太鼓の帯山の線を綺麗にすることができる。
【００４２】
また、従来の腰ひもを用いた場合、帯のお太鼓の裾線のところが持ちにくいが、本考案に係る帯作り用仮ひもを用いると、帯のお太鼓の裾線のところが持ちやすいという利点がある。
【００４３】
以上の利点から、本考案に係る帯作り用仮ひもを用いることで、帯のお太鼓を一人で作る際にもこれに慣れるのに時間を要することなくできるようになり、かつお太鼓作りに際して苦労することなく短時間で綺麗なお太鼓を作ることができるようになる。
【００４４】
上述の説明に更に付け加えることとして、本考案に係る着物の帯のお太鼓作り用仮ひもは、初心者はもちろん、着付けを習ったけれど、帯結びがきれいに出来ない着物離れの人達に箪笥の中の着物を楽しんで着てほしいという考案者の願いから着想されたものである。つまり、和服を気軽かつ自由に着る人が多くなることを考案者は望んで着想したものである。
【００４５】
また、例えば着付教室で着物を着ることが初めての人に、本考案に係る着物の帯のお太鼓作り用仮ひもを使って帯のお太鼓作りを指導すると、その使い勝手のよさがわかって、指導を受ける人たちが喜ぶことは間違いないと考案者は確信している。従って、考案者は、本考案に係る着物の帯のお太鼓作り用仮ひもを「笑顔の仮ひも」と命名して、今までと同じ仮ひも使用場所でこの仮ひもに代えてみてこれを様々なところで広く使用してもらいたいという願いがある。
【００４６】
このような願いを実現することで、上述した課題を全て解決できる。即ち、例えば一人で和服を着る時に先行技術に記載したような補助具は構造が複雑で高価な袋帯のお太鼓作り用補助具を用いる必要がなくなる。
【００４７】
また、和服を初めて着る人や和服を着慣れない人たちが一人で帯結びをできるまで着付け教室に通うことになっても、短い期間で和服の帯のお太鼓作りを習得することができ、従来に比べて時間的かつ金銭的な負担が軽くなる。
【００４８】
また、そのような人達が着物を着る際に帯のお太鼓を綺麗に作るために着付け師に頼んだ場合であっても、着付け師が本考案に係る和服の帯のお太鼓作り用仮ひもを用いることで、和服の着付けを素早く短時間で終わらせることができる。
【００４９】
これによって、特に若い女性や着物に興味を持った人達にとって綺麗なお太鼓結びの着物を一人で手軽に着ることができるようになり、例えば成人式や能楽鑑賞などの等の特別な場合にのみ和服を着るのではなく、より多くの機会において着物を気軽に着ることができるようになる。
【００５０】
また、近年のグローバル化に伴い、日本の着物の美しさが世界各国の女性達に知れ渡り、世界中の多くの女性達を魅了するようになっているが、本考案に係る和服の帯のお太鼓作り用仮ひも用いることで、日本の和服の美しさに魅了された様々な国々の人達に和服を綺麗にかつ気軽に着る機会を与えることができる。
【００５１】
以上説明したように、本考案に係る着物の帯のお太鼓作り用仮ひもによると、成人式などの特別な時にしか和服を着ることのない若い人や、和服を着ることに興味があるがその手間や費用を考えて着ることに躊躇していた人達、更には日本の伝統文化に非常に興味があり、特に和服の美しさに魅せられた外国の人達が着付け師の手を借りずとも仲間同士と笑顔で着物の着付けを行ったり、着付け師に手伝ってもらう場合でも互いに笑顔で談笑しながら和服の着付けを行ったりすることができ、和服を着るという日本の伝統文化を将来にわたって今までよりも格段に広げていくことができる。
【００５２】
なお、上述の実施形態は、あくまで本考案の一例を示すもので、本考案の範囲を逸脱しなければ上述のような寸法、材質、形状に本考案を限定する必要はなく、適宜設計変更を可能とすることは言うまでもない。
【符号の説明】
【００５３】
１    着物の帯のお太鼓作り用仮ひも
１０    （袋状の）ひも
１５    横方向の点線
１１，１２    縦方向の点線
２０    アクリル板（プラスチック板）
２１，２２    つかみ部
２００    帯
２１０    帯山
２３０    裾線
３００    枕
【図１】
0003209057.tif 000003
【図２】
0003209057.tif 000004
【図３】
0003209057.tif 000005
【図４】
0003209057.tif 000006
【図５】
0003209057.tif 000007